(57)【要約】【課題】排水管における閉塞領域の空気を効率的に流動させ、閉塞領域の正圧・負圧を緩衝できる空気待避装置を提供すること。【解決手段】空気待避体２０は、第１の封水部と、第２の封水部との間の排水管に形成された閉塞領域Ｃに正圧が発生した場合に、正圧により内部空間を膨張し、閉塞領域Ｃ内の空気を待避させる膨張状態と、閉塞領域Ｃに負圧が発生した場合に、負圧により内部空間を収縮し、内部空間に待避させた空気を閉塞領域Ｃに排出する収縮状態と、に変形可能と成っている。【選択図】図３
2008163634.tif 000002
【特許請求の範囲】
【請求項１】
排水口の下流側に形成される第１の封水部と、該第１の封水部の更に下流側に形成される第２の封水部との間の排水管に設けられた空気待避装置であって、
前記第１の封水部と前記第２の封水部との間の排水管に連通するとともに、密封された内部空間を形成可能とする空気待避体を有し、
前記空気待避体は、
前記第１の封水部と前記第２の封水部との間の排水管内に形成された閉塞領域に正圧が発生した場合に、該正圧により前記内部空間を膨張し、前記閉塞領域内の空気を待避させる膨張状態と、
前記閉塞領域に負圧が発生した場合に、該負圧により前記内部空間を収縮し、該内部空間に待避させた空気を前記閉塞領域に排出する収縮状態と、
に変形可能と成っていることを特徴とする空気待避装置。
【請求項２】
前記空気待避体の外方を被覆するように、前記膨張状態の空気待避体よりも大なる内容積を有するカバーが設けられていることを特徴とする請求項１に記載の空気待避装置。
【請求項３】
前記カバーに、該カバーの外方と内方とを連通する空気孔が形成されていることを特徴とする請求項２に記載の空気待避装置。
【請求項４】
前記空気待避体は、下方に向けた口部を有する袋状体に形成されていることを特徴とする請求項１ないし３のいずれかに記載の空気待避装置。
【請求項５】
前記袋状体の口部に、該袋状体内への異物混入を防止する目皿が設けられていることを特徴とする請求項４に記載の空気待避装置。
【請求項６】
前記袋状体の口部の下方に、排水を貯水可能な貯水部が形成されているとともに、該貯水部内に、前記口部より大径であって前記貯水部の水位上昇により前記口部を閉塞可能なフロートが収容されていることを特徴とする請求項４または５に記載の空気待避装置。
【請求項７】
前記空気待避体が排水管から連通している連通開口に、該空気待避体側への排水の流入を防止する流入防止片が突設されていることを特徴とする請求項１ないし６のいずれかに記載の空気待避装置。
【発明の詳細な説明】
【技術分野】
【０００１】
本発明は、排水口の下流側に形成された第１の封水部と、この第１の封水部の更に下流側に形成された第２の封水部との間の排水管に設けられた空気待避装置に関する。
【背景技術】
【０００２】
例えばキッチンのシンク等に配設された排水口の下流側に接続された排水管設備においては、従来、管路に排水トラップが設けられ、この排水トラップに排水を滞留させることにより、下流側の臭いや虫等が排水口側に進入することを防止する効果を有している。
【０００３】
しかし、思いがけず排水トラップが管路中に複数設けられたり、あるいは排水トラップは一つであるが、この排水トラップの上流若しくは下流側の排水管の施工不良等を原因とした逆勾配によって、複数の封水部を有することとなった排水管設備では、排水トラップの下流側に空気の流通を遮断した閉塞部分が形成され、この閉塞部分に正圧若しくは負圧が発生するため、排水の流動の際に排水口側に水・空気が逆流による異臭や異音の原因となっていた。また、正圧が排水の抵抗となり、シンク等の排水口から水が流下し難いという問題があった。
【０００４】
従来の排水管設備においては、防臭用の排水トラップの下流側に、圧縮性を有する空気が滞留する場合が生じ、このように滞留した圧縮空気を一時的に待避させる緩衝空管が、排水管から一部分岐して設けられている（例えば、特許文献１参照）。
【０００５】
【特許文献１】特開２０００−１７７０４号公報（第２頁、第４図）
【発明の開示】
【発明が解決しようとする課題】
【０００６】
しかしながら、特許文献１にあっては、排水設備における前記した緩衝空管は、その内部容積が一定に定められ排水管に連通して分岐されたものであり、緩衝空管内は、常時、空気で満たされ、排水管の閉塞部分と常に同じ空気圧となっているため、排水管と緩衝空管との間で空気が効率よく流動せず、圧力を緩衝できないという問題があった。
【０００７】
本発明は、このような問題点に着目してなされたもので、排水管における閉塞領域の空気を効率的に流動させ、閉塞領域の正圧・負圧を緩衝できる空気待避装置を提供することを目的とする。
【課題を解決するための手段】
【０００８】
上記課題を解決するために、本発明の請求項１に記載の空気待避装置は、
排水口の下流側に形成される第１の封水部と、該第１の封水部の更に下流側に形成される第２の封水部との間の排水管に設けられた空気待避装置であって、
前記第１の封水部と前記第２の封水部との間の排水管に連通するとともに、密封された内部空間を形成可能とする空気待避体を有し、
前記空気待避体は、
前記第１の封水部と前記第２の封水部との間の排水管内に形成された閉塞領域に正圧が発生した場合に、該正圧により前記内部空間を膨張し、前記閉塞領域内の空気を待避させる膨張状態と、
前記閉塞領域に負圧が発生した場合に、該負圧により前記内部空間を収縮し、該内部空間に待避させた空気を前記閉塞領域に排出する収縮状態と、
に変形可能と成っていることを特徴としている。
この特徴によれば、排水管内の排水の流動により、第１の封水部と第２の封水部との間の排水管に形成される閉塞領域に正圧が発生した場合に、空気待避体の内部空間を膨張させて閉塞領域の空気を待避させることで、排水口側への空気・排水の逆流を防ぎ、この逆流による不快な異臭や流動音を防止できる。更に、排水口の水を抵抗なくスムーズに流下させることが出来る。また、閉塞領域に負圧が発生した場合に、空気待避体の内部空間を収縮させて、内部空間に待避させた閉塞領域に空気を排出することで、排水を負圧で流動させることなく封水部として所定に滞留できるため、排水管内の臭いを所定に遮断できる。このように、空気待避体の内部空間を膨張・収縮させて容積を適宜変化させることで、閉塞領域の空気を効率的に流動させ、正圧・負圧を緩衝できる。更に、閉塞領域の空気を、空気待避体の密封された内部空間に待避させるため、待避した空気の臭いを外部に漏らすことがない。
【０００９】
本発明の請求項２に記載の空気待避装置は、請求項１に記載の空気待避装置であって、
前記空気待避体の外方を被覆するように、前記膨張状態の空気待避体よりも大なる内容積を有するカバーが設けられていることを特徴としている。
この特徴によれば、空気待避体が、膨張状態の空気待避体よりも大なる内容積を有するカバーの内部に設けられているため、カバー外方の影響を何ら受けずに、排水管の閉塞領域内の正圧若しくは負圧のみによって、自在に変形可能となる。
【００１０】
本発明の請求項３に記載の空気待避装置は、請求項２に記載の空気待避装置であって、
前記カバーに、該カバーの外方と内方とを連通する空気孔が形成されていることを特徴としている。
この特徴によれば、カバーと空気待避体との間隙の体積が、空気待避体の膨張状態若しくは収縮状態により変化しても、空気孔を介してこの間隙に空気を流動させ、間隙の気圧を一定に保つことが出来るため、空気待避体が、間隙の気圧の影響を受けることなく、排水管の閉塞領域の正圧若しくは負圧のみにより変形させることが出来る。
【００１１】
本発明の請求項４に記載の空気待避装置は、請求項１ないし３のいずれかに記載の空気待避装置であって、
前記空気待避体は、下方に向けた口部を有する袋状体に形成されていることを特徴としている。
この特徴によれば、排水管内を流動する排水が、下方に向けた口部を有する袋状体内に流入し難いため、容易に変形する袋状に形成された袋状体の変形可能容積を維持出来る。
【００１２】
本発明の請求項５に記載の空気待避装置は、請求項４に記載の空気待避装置であって、
前記袋状体の口部に、該袋状体内への異物混入を防止する目皿が設けられていることを特徴としている。
この特徴によれば、目皿により、排水管内を流動する異物が袋状体内へ混入することを防止できるため、異物による袋状体の損傷を無くし、長期に亘って空気の待避若しくは排出が可能となる。
【００１３】
本発明の請求項６に記載の空気待避装置は、請求項４または５に記載の空気待避装置であって、
前記袋状体の口部の下方に、排水を貯水可能な貯水部が形成されているとともに、該貯水部内に、前記口部より大径であって前記貯水部の水位上昇により前記口部を閉塞可能なフロートが収容されていることを特徴としている。
この特徴によれば、比較的大量の排水が袋状体側に流入した非常時において、この排水を袋状体の下方に形成した貯水部に貯水し、この貯水部の水位上昇によりフロートで袋状体の開口を閉塞出来るため、非常時においても、排水の袋状体への流入を防止できる。
【００１４】
本発明の請求項７に記載の空気待避装置は、請求項１ないし６のいずれかに記載の空気待避装置であって、
前記空気待避体が排水管から連通している連通開口に、該空気待避体側への排水の流入を防止する流入防止片が突設されていることを特徴としている。
この特徴によれば、流入防止片により、空気待避体側への排水の流入を防止することで、排水管内の空気のみを空気待避体に流動させ、待避若しくは排出可能な空気の体積を確保出来る。
【発明を実施するための最良の形態】
【００１５】
本発明の実施例を以下に説明する。
【実施例】
【００１６】
本発明の実施例を図面に基づいて説明すると、先ず図１は、本発明の実施例における排水管設備の全体像を示す断面図である。図２は、空気待避装置の取付初期状態を示す断面図である。図３（ａ）は、袋状体の膨張状態を示す断面図であり、（ｂ）は、袋状体の収縮状態を示す断面図である。図４は、大量の排水が流動する非常時の空気待避装置を示す断面図である。
【００１７】
図１の符号１は、台所に配置されるキッチン台である。このキッチン台１には、シンク２が設けられており、シンク２の底面には、排水口３が形成され、この排水口３と通じる排水管４が接続されている。
【００１８】
キッチン台１におけるシンク２の下方には、収納空間５が形成されており、シンク２の正面側には、収納空間５を開放させることができる扉６が取り付けられている。第１の排水トラップ７等を構成する排水管４は、第１の排水トラップ７から背面側に延びてから屈曲されて下方に延設されている。そのためシンク２の下方の収納空間５が、排水管４によって邪魔されることなく広く使用できるようになっている。
【００１９】
排水管４は、上記した第１の排水トラップ７と、この第１の排水トラップ７の下流側に鉛直方向に設けられた鉛直管８、及び下流側に連続して接続された水平管１０と、水平管１０の管路中に介設された、すなわち第１の排水トラップ７の更に下流側に設けられた第２の排水トラップ９と、から主として構成され、図示しない下水管に通じている。
【００２０】
第１の排水トラップ７は、排水口３に連続して導入部となる第１垂直管と、この垂直管より図示１８０度右側に湾曲して上方を向く下部湾曲部と、この下部湾曲部から上方に立ち上げられ、前記第１垂直管と平行に近接配置されている第２垂直管と、この第２垂直管より図示１８０度右側に湾曲して下方を向く上部湾曲部とにより、全体として略Ｓ字状に構成され、前記した第１垂直管と下部湾曲部と第２垂直管との内部で排水が所定に滞留した第１の封水部Ｈが形成されている。
【００２１】
同様に、第２の排水トラップ９は、水平管１０に連続して導入部となる第１垂直管と、この第１垂直管より図示１８０度左側に湾曲して上方を向く下部湾曲部と、この下部湾曲部から上方に立ち上げられ、前記第１垂直管と平行に近接配置されている第２垂直管とにより、全体として略Ｕ字状に構成され、前記した第１垂直管と下部湾曲部と第２垂直管との内部で排水が所定に滞留した第２の封水部Ｊが形成されている。
【００２２】
上記した第１の排水トラップ７に形成された第１の封水部Ｈと、第２の排水トラップ９に形成された第２の封水部Ｊとにより、いわゆるダブルトラップを構成している。
【００２３】
次に、第１の排水トラップ７と第２の排水トラップ９との間に設けられた鉛直管８の上部に、後述のように排水管４における両排水トラップ７、９間に形成された閉塞領域Ｃと連通する袋状体２０を備えた空気待避装置１１が接続されている。
【００２４】
図２に示されるように、空気待避装置１１について説明すると、空気待避装置１１は、内部がＴ字状に連通するＴ字管継手１２、同様に内部がＴ字状に連通する本体１３、カバー１４、キャップ１５により、その外形が構成されており、カバー１４内に後述する膨張状態若しくは収縮状態に変形可能な空気待避体としての袋状体２０が収容され、本体１３内にフロート１５が収容されている。
【００２５】
より具体的には、Ｔ字管継手１２の鉛直部１２ａの上部が、第１の排水トラップ７とＶパッキン３１を介した袋ナット３０の螺合により水密に接続され、同様に、鉛直部１２ａの下部が、鉛直管８とＶパッキン３３を介した袋ナット３２の螺合により水密に接続されており、鉛直部１２ａは水平方向に形成された連通開口Ｋを介して水平部１２ｂに連続している。連通開口Ｋは、水平部１２ｂ側の鉛直部１２ａ内壁を穿設して形成されており、鉛直部１２ａの内壁上部１２ｃは、内壁下部１２ｄに比べて内方に向かって延びており、後述する袋状体２０側への排水の流入を防止する流入防止片として突設されている。
【００２６】
次に、本体１３の水平部１３ａは、Ｔ字管継手１２の水平部１２ｂとＶパッキン３５を介した袋ナット３４の螺合により水密に接続されるとともに、本体１３の鉛直部１３ｂの上部がカバー１４により嵌合され、また鉛直部１３ｂの下部が平パッキン３７を介してキャップ１５により着脱可能に螺合されている。
【００２７】
カバー１４は、後述する袋状体２０の膨張状態の体積よりも大きい内容積を有し、袋状体２０の外方を被覆するように設けられており、カバー１４上面にはカバー１４の内方と外方とを連通する空気孔１４ａが形成されている。
【００２８】
また、本体１３の鉛直部１３ｂの上部内面に沿って、Ｏリング３７を介して目皿１７が水密に嵌合されており、目皿１７の上部外周面に沿って、袋状体２０の下方に向けた口部２０ａが嵌合されるとともに、袋固定リング３６により周方向に固定されている。袋状体２０は、比較的薄肉の樹脂製の袋からなり、口部２０ａを介した内部への空気の出入により、容易に内部空間を膨張した膨張状態に、若しくは内部空間を収縮した収縮状態に変形可能となっている。図２に示されるように、袋状体２０は、空気待避装置１１の取付初期状態においては収縮状態にあり、内部空間をほぼ有していない。
【００２９】
目皿１７は、下方に向けて開口した導水部１７ｂと、導水部１７ｂに連続して形成された複数の小孔からなる目皿部１７ａとが構成されており、導水部１７ｂ下端の内周面に沿ってパッキン３９が取付けられている。
【００３０】
更に、本体１３の鉛直部１３ｂ内の下部に、排水を貯水可能な貯水部１３ｃが設けられ、この貯水部１３ｃに、内空構造の浮体であって鉛直部１３ｂ内径より小径且つ目皿１７の導水部１７ｂ内径より大径の球状体であるフロート１６が収容されており、後述する非常時における袋状体２０内への入水を防止する機能を有している。
【００３１】
次に、排水の流動によって生じる空気待避装置１１の動作について説明する。
【００３２】
図１及び図３（ａ）に示されるように、排水管４内における上記した第１の排水トラップ７に形成された第１の封水部Ｈと第２の排水トラップ９に形成された第２の封水部Ｊとの間は、大気と遮断された閉塞領域Ｃとして形成され、この閉塞領域Ｃは、後述のように、排水の流動状況により大気よりも空気圧の高い正圧や、若しくは大気よりも空気圧の低い負圧になる。
【００３３】
排水口３から図示しない下水管側に向かっての排水の流動が終了するに伴い、下流側の第２の封水部Ｊが形成され、その後に、上流側から第１の排水トラップ７と第２の排水トラップ９との間に空気が流入するとともに、上流側の第１の封水部Ｈが形成された場合は、閉塞領域Ｃ内は、大気よりも空気圧の高い正圧状態となる。閉塞領域における空気は、連通開口Ｋを介して連通した袋状体２０に向かって流動し（図示白抜矢印参照）、袋状体２０が膨張した膨張状態と成ることで、閉塞領域Ｃ内の圧力を緩衝する。
【００３４】
このように、排水管４内の排水の流動により、第１の封水部Ｈと第２の封水部Ｊとの間の排水管４内に形成される閉塞領域Ｃに正圧が発生した場合に、袋状体２０の内部空間を膨張させて閉塞領域Ｃの空気を待避させることで、排水口３側への空気・排水の逆流を防ぎ、この逆流による不快な異臭や流動音を防止できる。更に排水口３の水を抵抗なくスムーズに流下させることが出来る。
【００３５】
尚、袋状体２０の膨張に伴い、カバー１４と袋状体２０との間隙Ｎの体積が収縮するため、間隙Ｎを満たしていた空気が空気孔１４ａを介してカバー１４外方に放出される（図示黒塗矢印参照）。
【００３６】
図１及び図３（ｂ）に示されるように、上記と逆に、排水の流動が終了するに伴い、上流側の第１の封水部Ｈが形成され、その後に、第１の排水トラップ７と第２の排水トラップ９との間から下流側に空気が流出するとともに、下流側の第２の封水部Ｊが形成された場合は、閉塞領域Ｃ内は、大気よりも空気圧の低い負圧状態となる。上記のように袋状体２０内に待避した空気は、上記と逆に連通開口Ｋを介して閉塞領域Ｃに排出され（図示白抜矢印参照）、袋状体２０を収縮した収縮状態と成ることで、圧力を緩衝する。
【００３７】
このように、閉塞領域Ｃに負圧が発生した場合に、袋状体２０の内部空間を収縮させて、内部空間に待避させた閉塞領域Ｃに空気を排出することで、排水を負圧で流動させることなく第１の封水部Ｈ若しくは第２の封水部Ｊとして所定に滞留できるため、排水管４内の臭いを所定に遮断できる。また、このように、袋状体２０の内部空間を膨張・収縮させて容積を適宜変化させることで、閉塞領域Ｃの空気を効率的に流動させ、正圧・負圧を緩衝できる。更に、閉塞領域Ｃの空気を、袋状体２０の密封された内部空間に待避させるため、待避した空気の臭いを外部に漏らすことがない。
【００３８】
尚、袋状体２０の収縮に伴い、カバー１４と袋状体２０との間隙Ｎの体積が膨張するため、間隙Ｎを満たすべく空気が空気孔１４ａを介してカバー１４内方に流入される（図示黒塗矢印参照）。
【００３９】
上記したカバー１４を設けることで、袋状体２０が、膨張状態の袋状体２０よりも大なる内容積を有するカバー１４の内部に設けられているため、カバー１４外方の影響を何ら受けずに、排水管４の閉塞領域Ｃ内の正圧若しくは負圧のみによって、自在に変形可能となる。
【００４０】
また、カバー１４と袋状体２０との間隙Ｎの体積が、袋状体２０の膨張状態若しくは収縮状態により変化しても、空気孔１４ａを介してこの間隙Ｎに空気を流動させ、間隙Ｎの空気圧を一定に保つことが出来るため、袋状体２０が、間隙Ｎの空気圧の影響を受けることなく、排水管４の閉塞領域Ｃの正圧若しくは負圧のみにより変形させることが出来る。
【００４１】
また、上記した流入防止片１２ｃにより、袋状体２０側への排水の流入を防止することで、排水管４内の空気のみを袋状体２０に向かって流動させ、待避若しくは排出可能な空気の体積を確保出来る。
【００４２】
更に、本実施例の空気待避体は、下方に向けた口部２０ａを有する袋状体２０に形成されており、このようにすることで、排水管４内を流動する排水が、下方に向けた口部２０を有する袋状体２０内に流入し難いため、容易に変形する袋状に形成された袋状体２０の変形可能容積を維持出来る。
【００４３】
また、上記した目皿１７により、排水管４内を流動する塵、髪の毛等の異物が袋状体２０内へ混入することを防止できるため、異物による袋状体２０の損傷を無くし、長期に亘って空気の待避若しくは排出が可能となる。
【００４４】
次に、図４に示されるように、排水管４内を比較的大量の排水が流動する非常時の場合について説明すると、排水管４内が排水で満たされるとともに、一部の排水が、上述した流入防止片１２ｃの突設に関わらず、連通開口Ｋを介して空気待避装置１１内に流入し、流入した水Ｗが、袋状体２０の口部２０ａの下方に設けられた貯水部１３ｃに貯水される。貯水部１３ｃの水位上昇により、フロート１６がパッキン３９の周方向に沿って当接し、目皿１７の導水部１７ｂと連通した袋状体２０の口部２０ａを閉塞出来るため、非常時においても、排水の袋状体２０への流入を防止できる。尚、貯水部１３ｃに貯水された水Ｗは、着脱可能に螺合されたキャップ１５を取外すことで空気待避装置１１外に排出できる。
【００４５】
以上、本発明の実施例を図面により説明してきたが、具体的な構成はこれら実施例に限られるものではなく、本発明の要旨を逸脱しない範囲における変更や追加があっても本発明に含まれる。
【００４６】
例えば、上記実施例では、空気待避装置１１は、排水管４における鉛直管８上部に接続されているが、空気待避装置の接続箇所は、第１の封水部と第２の封水部との間に形成された閉塞領域と連通する箇所であれば、例えば排水管の水平部であってもよいし、曲管部であってもかまわない。
【００４７】
また、上記実施例では、空気待避装置１１は、Ｔ字管継手１２、本体１３、カバー１４、キャップ１５により、その外形が構成されており、カバー１４内に空気待避体としての袋状体２０が収容され、本体１３内にフロート１５が収容されているが、空気待避装置の構成は、少なくとも空気待避体としての袋状体を有していればよい。
【００４８】
また、上記実施例では、空気待避体としての袋状体２０は、比較的薄肉の樹脂製の袋からなるが、空気待避体は、内部空間を膨張する膨張状態若しくは内部空間を収縮する収縮状態に変形可能となっていれば、例えば材質がゴム製であってもよいし、また蛇腹式の構造で内部空間を膨張若しくは収縮するものであってもよい。
【００４９】
更に、上記実施例では、排水管４の管路中に設けられた第１の排水トラップ７に第１の封水部Ｈが形成され、同じく管路中に設けられた第２の排水トラップ９に第２の封水部Ｊが形成されているが、封水部は、上記のように人工的に設けられた排水トラップに形成されるものに限られず、例えば封水部は、管路中に形成された逆勾配等によって、自然発生的に形成されたものであってもよい。
【図面の簡単な説明】
【００５０】
【図１】本発明の実施例における排水管設備の全体像を示す断面図である。
【図２】空気待避装置の取付初期状態を示す断面図である。
【図３】（ａ）は、袋状体の膨張状態を示す断面図であり、（ｂ）は、袋状体の収縮状態を示す断面図である。
【図４】大量の排水が流動する非常時の空気待避装置を示す断面図である。
【符号の説明】
【００５１】
１                キッチン台
２                シンク
３                排水口
４                排水管
５                収納空間
６                扉
７                第１の排水トラップ
８                鉛直管
９                第２の排水トラップ
１０              水平管
１１              空気待避装置
１２              Ｔ字管継手
１２ｃ            内壁上部（流入防止片）
１３              本体
１３ｃ            貯水部
１４              カバー
１４ａ            空気孔
１５              キャップ
１６              フロート
１７              目皿
２０              袋状体（空気待避体）
２０ａ            口部
Ｈ                第１の封水部
Ｊ                第２の封水部
【図１】
2008163634.tif 000003
【図２】
2008163634.tif 000004
【図３】
2008163634.tif 000005
【図４】
2008163634.tif 000006